(57)【特許請求の範囲】
【請求項１】
テープ状記録媒体上の傾斜トラックにディジタルデータを記録するデータレコーダにおいて、
前記テープ状記録媒体には、再生時のトラッキングの基準とするコントロール信号が記録されるコントロールトラックが、その走行方向と平行に設けられており、
前記ディジタルデータを、所定のデータ量毎にブロック化してデータブロックを構成し、該データブロックに格納されたデータの検索に利用する付属情報を付加して前記傾斜トラックに記録する主データ記録手段と、
前記付属情報を符号化し、該付属情報であることを示すヘッダを付加することにより符号化付属情報を生成し、該符号化付属情報の１ビットを前記コントロール信号の２種類のデューティサイクルに対応させて前記コントロールトラックに記録する付属情報記録手段とを備え、
前記データブロックを構成する所定のデータ量は、１データブロックに対応する符号化付属情報を前記コントロールトラックに記録するのに必要とされる期間内に前記傾斜トラックに記録可能な最大データ量から、付属情報のデータ量を減算したデータ量以下に設定することを特徴するデータレコーダ。
【請求項２】
前記符号化付属情報は、前記付属情報の種類を示すＩＤ情報を含み、該ＩＤ情報は、前記ヘッダの直後に配置されることを特徴とする請求項１に記載のデータレコーダ。
【発明の詳細な説明】
【０００１】
【発明の属する技術分野】
本発明は、例えば回転ヘッドにより磁気テープ上の傾斜トラックにディジタルデータを記録するヘリカルスキャン型のデータレコーダに関する。
【０００２】
【従来の技術】
コンピュータなどの外部記憶装置として、回転ヘッドにより磁気テープ上の傾斜トラックにディジタルデータを記録するヘリカルスキャン型のデータレコーダが従来より知られている（例えば特開平８−２０３２１４号公報）。このようなデータレコーダでは、ブロック化されたデータが、記録データの先頭を示す情報（ファイルマーク）や、データ終了点（エンド・オブ・データ）を示す情報、及びデータの論理アドレスを示す情報などからなる付属情報とともに傾斜トラックに記録される。
【０００３】
【発明が解決しようとする課題】
上記従来のデータレコーダにおいては、付属情報が傾斜トラック上に記録されるため、所望のデータを検索するためには、回転ヘッドにより、データを読み出す必要がある。そのため、安定して付属情報を読み出すには、磁気テープを高速で走行させることはできず、検索に時間がかかるという課題があった。
【０００４】
本発明はこの点に着目してなされたものであり、テープ状記録媒体に記録されたデータの中から所望のデータをより高速で検索することを可能としたデータレコーダを提供することを目的とする。
【０００５】
【課題を解決するための手段】
上記目的を達成するため請求項１に記載の発明は、テープ状記録媒体上の傾斜トラックにディジタルデータを記録するデータレコーダにおいて、前記テープ状記録媒体には、再生時のトラッキングの基準とするコントロール信号が記録されるコントロールトラックが、その走行方向と平行に設けられており、前記ディジタルデータを、所定のデータ量毎にブロック化してデータブロックを構成し、該データブロックに格納されたデータの検索に利用する付属情報を付加して前記傾斜トラックに記録する主データ記録手段と、前記付属情報を符号化し、該付属情報であることを示すヘッダを付加することにより符号化付属情報を生成し、該符号化付属情報の１ビットを前記コントロール信号の２種類のデューティサイクルに対応させて前記コントロールトラックに記録する付属情報記録手段とを備え、前記データブロックを構成する所定のデータ量は、１データブロックに対応する符号化付属情報を前記コントロールトラックに記録するのに必要とされる期間内に前記傾斜トラックに記録可能な最大データ量から、付属情報のデータ量を減算したデータ量以下に設定することを特徴とする。
【０００７】
請求項２に記載の発明は、請求項１に記載のデータレコーダにおいて、前記符号化付属情報は、前記付属情報の種類を示すＩＤ情報を含み、該ＩＤ情報は、前記ヘッダの直後に配置されることを特徴とする。
【０００８】
【発明の実施の形態】
以下本発明の実施の形態を図面を参照して説明する。
図１は、本発明の実施の一形態にかかるデータレコーダを外部記憶装置として使用するコンピュータシステムの構成を示すブロック図であり、このシステムは、パーソナルコンピュータなどで構成されるホストコンピュータ１と、例えばＤ−ＶＨＳ（登録商標）規格に準拠したデータレコーダ２（以下「ＤＴＲ２」という）とが、ＳＣＳＩ（Ｓｍａｌｌ  Ｃｏｍｐｕｔｅｒ  Ｓｙｓｔｅｍ  Ｉｎｔｅｒｆａｃｅ）インターフェース３を介してケーブル４により接続されて構成されている。ホストコンピュータ１と、ＤＴＲ２との間では、ディジタルデータによる双方向のデータ伝送が可能である。
【０００９】
ホストコンピュータ１は、ホストコンピュータ１が内蔵するハードディスク上に蓄積されたディジタルデータ（例えばＪＰＥＧ圧縮された画像データファイルなど）を、ＳＣＳＩインターフェース３を介してＤＴＲ２に転送し、ＤＴＲ２に装填された磁気テープにそのディジタルデータを記録する処理を行う。また、ホストコンピュータ１は、ＤＴＲ２に装填された磁気テープに記録されているディジタルデータを再生し、ＳＣＳＩインターフェース３を介して前記ハードディスクに記録し、データを再利用する処理を行う。
【００１０】
図２は、ＤＴＲ２の要部の構成を示すブロック図である。このＤＴＲ２は、入力されるディジタルデータをブロック化するとともに、そのブロック化に関する付属情報を生成し、ブロック化したデータ及び付属情報を回転ドラム（図示せず）に取り付けた磁気ヘッド１６を介して磁気テープ１７上の傾斜トラックに記録する処理を行う主データ記録部と、前記付属情報を符号化して磁気テープ１７上のコントロールトラックに記録し、該記録した付属情報を再生する処理を行う付属情報処理部とを備えている。コントロールトラックは、図３に示すように磁気テープ１７の下端近傍にテープ走行方向と平行に設けられている。なお、ＤＴＲ２は、図示は省略しているが傾斜トラックから磁気ヘッド１６を介して再生されるブロック化データを元のデータに戻して出力する主データ再生部も備えている。
【００１１】
先ず主データ記録部について説明する。主データ記録部は、記録信号処理回路１２と、バッファメモリ１３と、記録変調回路１４と，記録アンプ１５と，磁気ヘッド１６と、データブロックカウンタ１８と、マイクロコンピュータ１９（以下「マイコン１９」という）とによって構成される。記録信号処理回路１２は、ＳＣＳＩインターフェース３を介して入力されるディジタルデータをブロック化して所定データ量ＤＢＬＫ（例えば３２Ｋバイト）を有するデータブロックを生成し、そのデータブロックをバッファメモリ１３に格納する。データブロックカウンタ１８は、ブロック化が実行される毎にカウントを行い、これを論理ブロックアドレスＬＢＡ（Ｌｏｇｉｃａｌ  Ｂｌｏｃｋ  Ａｄｄｒｅｓｓ）として保持する。
【００１２】
マイコン１９は、データブロックカウンタ１８に保持されている論理ブロックアドレスＬＢＡ並びに磁気テープ１７上の記録開始位置であることを示す開始位置情報ＢＯＰ（Ｂｅｇｉｎｎｉｎｇ  Ｏｆ  Ｐａｒｔｉｔｉｏｎ）、記録するデータがファイル形式である場合にそのファイルの先頭位置を示すファイルマークＦＭ、及びデータの記録終了位置を示す終了位置情報ＥＯＤ（Ｅｎｄ  Ｏｆ  Ｄａｔａ）を付属情報としてバッファメモリ１３に格納されているデータブロックに付加することにより、記録データブロックを生成する処理を行う。
記録変調回路１４は、記録データブロックの記録符号化処理を行い、処理後の符号化データを記録アンプ１５に入力する。記録アンプ１５は、符号化データを増幅し、磁気ヘッド１６を介して磁気テープ１７の傾斜トラックに記録する。
【００１３】
このようにして図３に示す傾斜トラックに、記録データブロックが記録される。テープ上に記録されるデータは、図４に示すようなフォーマットとされる。すなわち、開始位置情報ＢＯＰと、終了位置情報ＥＯＤとの間にデータ領域が設けられ、各データ領域は、ファイルマークＦＭと、そのファイルのデータを格納したデータブロックと、ダミーデータからなるギャップＧＡＰとを有し、ファイルマークＦＭとそれに続くデータブロックが１ファイルに相当する。
【００１４】
次に付属情報処理部について説明する。付属情報処理部は、コントロール信号（ＣＴＬ）発生回路２６と、コントロール信号（ＣＴＬ）書き込み符号処理回路２０と、デューティ可変回路２１と、コントロール信号記録回路２２と、コントロールヘッド２３と、コントロール信号再生回路２４と、コントロールデータ検出回路２５とによって構成される。上述した付属情報がマイコン１９から、コントロール信号書き込み符号処理回路２０に入力される。この回路２０は、データの記録中にマイコン１９から入力される付属情報を符号化し、シリアルビット列に変換して、１ビットずつデューティ可変回路２１に入力する。この処理は、コントロール信号書き込み符号処理回路２０にコントロール信号発生回路２６から入力される、コントロール信号に同期する基準信号に同期して実行される。デューティ可変回路２１は、コントロール信号のデューティサイクルを、符号化付属情報で変調してして出力する。具体的には、図３の下部に示すように、コントロール信号のデューティサイクルが長い１周期（例えば７５％の１周期）を符号化付属情報の論理”０”に対応させ、デューティサイクルが短い１周期（例えば２５％の１周期）を符号化付属情報の論理”１”に対応させてデューティサイクルを設定する処理を行う。すなわち、コントロール信号の１周期に１ビットの情報が書き込まれるので、本実施形態では、１／３０秒毎に１ビットの符号化付属情報が記録される。
コントロール信号記録回路２２は、入力されるコントロール信号を増幅し、これをコントロールヘッド２３を介して磁気テープ１７のコントロールトラックに記録する。
【００１５】
図５は、磁気テープ上の符号化付属情報の具体的な構成を説明するための図であり、符号化付属情報の１単位は、その１単位の始まりを示すヘッダ３１と、データの種別を示すＩＤ情報３２と、データＤ１〜Ｄ４とをこの順序で配置して構成される。そして、符号化付属情報の１単位は、対応するデータブロックの先頭記録部分に対応する位置から記録が開始され、ヘッダ３１，ＩＤ情報３２，データＤ１〜Ｄ４の順で記録される。
【００１６】
ヘッダ３１は、先頭及び最終のビットが”０”で、他のビットが”１”である１２ビットで構成され、ＩＤ情報３２は、８ビットのＩＤ本体にビット”０”を付加して構成され、データＤ１〜Ｄ４は、それぞれ８ビットのデータ本体にビット”０”を付加して構成される。このように構成することにより、ＶＨＳ（登録商標）規格で規定され、コントロールトラックに記録されるインデクス情報と区別することが可能となり、両方を使用することができる。
【００１７】
ＩＤ情報３２と、データとの関係は、図６に示すように定義されている。すわわち、開始位置情報ＢＯＰ及び終了位置情報ＥＯＤは、１バイトのデータＤ１のみで構成され、データＤ１にはパーティション番号が記述される。またファイルマークＦＭは、３バイトのデータＤ１〜Ｄ３で構成され、各データＤ１〜Ｄ３には、それぞれファイルマーク番号の第１バイトから第３バイトが記述される。本実施形態では、ファイルマーク番号は、−１から８３８８６０８（２２３−１）までの値をとる。また、論理ブロックアドレスＬＢＡは、４バイトのデータＤ１〜Ｄ３で構成され、各データＤ１〜Ｄ４にはそれぞれ論理ブロックアドレスの第１バイトから第４バイトが記述される。論理ブロックアドレスＬＢＡは、本実施形態では、０から４２９４９６７２９５（２３２−１）までの値をとる。
【００１８】
なお、データＤ１〜Ｄ４は、ＭＳＢ（最上位ビット）を先頭として、順次最下位ビットまで配置される。
また符号化付属情報をコントロールトラックに記録するには、１ビット当たりコントロール信号１周期分の期間（例えば１／３０秒）Ｔを必要とするので、傾斜トラックに記録するデータ量は、これに対応したものとしなければならない。そこで本実施形態では、１データブロックに対応した符号化付属情報を記録するのに必要とされる期間（＝Ｔ×符号化付属情報の全ビット数）内に、傾斜トラックに記録可能な最大データ量をＤＡとし、記録時に付加される付属情報のデータ量をＤＦとすると、実際に記録可能な正味データ量ＤＲＡは、（ＤＡ−ＤＦ）となるので、１データブロックを構成する所定データ量ＤＢＬＫが、この正味データ量ＤＲＡ以下となるように設定している。
【００１９】
上述したように符号化付属情報がコントロールトラックに記録された磁気テープを再生するときは、コントロールヘッド２３により再生されるコントロール信号がコントロール信号再生回路２４により増幅され、波形整形されて、コントロールデータ検出回路２５に入力される。コントロールデータ検出回路２５は、再生コントロール信号から符号化付属情報を抽出し、もとの付属情報に戻して保持するとともに、マイコン１９に付属情報が検出されたことを通知する。マイコン１９は、抽出された付属情報に基づいて例えばホストコンピュータ１から指令されるデータを検索し、そのデータを再生してインターフェース３を介して出力する等の処理を実行する。なお、記録データの再生処理は、図示しない主データ再生部により実行される。また、再生コントロール信号はコントロール信号再生回路２４から図示しないサーボ回路に供給され、再生時のトラッキング制御の基準信号として使用される。
【００２０】
以上のように本実施形態では、コントロールトラックに記録データの検索に利用する付属情報を記録するようにしたので、検索時に回転ヘッドにより読み出される情報を参照する必要がなくなり、磁気テープを高速で走行させることが可能となる。その結果、磁気テープに記録されたデータの中から所望のデータをより高速で検索することが可能となる。
【００２１】
なお本発明は上述した実施形態に限るものではなく、種々の変形が可能である。例えば、コントロールトラックは、磁気テープの下端近傍でなく、上端近傍に配置するようにしてよい。また、上述した実施形態では、上記した開始位置情報ＢＯＰ，終了位置情報ＥＯＤ，ファイルマークＦＭ及び論理ブロックアドレスＬＢＡをすべてコントロールトラックに記録するようにしたが、これらの付属情報の一部のみを記録するようにしてもよく、あるいは記録データの検索を効率よく行うことを可能とする他の情報を付属情報として記録するようにしてもよい。
【００２２】
【発明の効果】
以上詳述したように本発明によれば、入力ディジタルデータが、所定のデータ量毎にブロック化されてデータブロックが構成され、該データブロックに格納されたデータの検索に利用する付属情報が付加されて傾斜トラックに記録されるとともに、前記付属情報を符号化してヘッダを付加することにより生成される符号化付属情報がコントロール信号の２種類のデューティサイクルに対応させてテープ状記録媒体の走行方向に平行なコントロールトラックに記録されるので、検索時にテープ状記録媒体を高速で走行させることが可能となり、テープ状記録媒体に記録されたデータの中から所望のデータを従来より高速で検索することが可能となる。
【図面の簡単な説明】
【図１】本発明の一実施形態にかかるコンピュータシステムの構成を示すブロック図である。
【図２】図１に示されるデータレコーダの要部の構成を示すブロック図である。
【図３】磁気テープ上の記録パターンを示す図である。
【図４】傾斜トラックに記録されるデータの構成を示す図である。
【図５】コントロールトラックに記録される符号化付属情報の構成を示す図である。
【図６】符号化付属情報に含まれるＩＤ情報とデータとの関係及びデータの内容を示す図である。
【符号の説明】
２  データレコーダ
３  ＳＣＳＩインターフェース
１２  記録信号処理回路（主データ記録手段）
１３  バッファメモリ（主データ記録手段）
１４  記録変調回路（主データ記録手段）
１５  記録アンプ（主データ記録手段）
１６  磁気ヘッド（主データ記録手段）
１７  磁気テープ（テープ状記録媒体）
１８  データブロックカウンタ（主データ記録手段）
１９  マイクロコンピュータ（主データ記録手段）
２０  コントロール書き込み符号処理回路（付属情報記録手段）
２１  デューティ可変回路（付属情報記録手段）
２２  コントロール記録回路（付属情報記録手段）
２３  コントロールヘッド（付属情報記録手段）
【図１】
0003603654.tif 000002
【図２】
0003603654.tif 000003
【図３】
0003603654.tif 000004
【図４】
0003603654.tif 000005
【図５】
0003603654.tif 000006
【図６】
0003603654.tif 000007